(57)【要約】音楽ビデオを索引化し、要約する、システム及び方法を開示する。ビデオ再生デバイスにおける音楽ビデオ要約コントローラは複数の音楽ビデオを有するマルチメディア・データ・ストリームを受信する。音楽ビデオ要約コントローラは：(1)音楽ビデオをセグメント化して識別し；(2)音楽ビデオ毎に音楽ビデオ要約ファイルを生成する。音楽ビデオ要約ファイルは歌の題名及びアーティストの名前などの情報を有する。音楽ビデオ要約ファイルは更に、歌を識別する、オーディオ・セグメント及びビデオ・セグメントを有する。ユーザは音楽ビデオ要約ファイルの一覧をアクセスし、ビデオ再生デバイス上で再生する音楽ビデオを、その相当する音楽ビデオ要約ファイルを選定することによって、選定する。
2005530446.tif 000002
【特許請求の範囲】
【請求項１】
ビデオ再生デバイスにおける装置であって：
複数の音楽ビデオを有するマルチメディア・データ・ストリームを受信することができる音楽ビデオ要約コントローラ；
を有し；
該音楽ビデオ要約コントローラは、該マルチメディア・データ・ストリームからの該複数の音楽ビデオのうちの少なくとも１つの音楽ビデオをセグメント化することができるものであり；
該音楽ビデオ要約コントローラは、該複数の音楽ビデオの該少なくとも１つの音楽ビデオを識別することができることを特徴とする装置。
【請求項２】
請求項１記載の装置であって、該音楽ビデオ要約コントローラは、該複数の音楽ビデオのうちの該少なくとも１つの音楽ビデオについて音楽ビデオ要約ブロックを生成することができるものであり；
該音楽ビデオ要約ブロックが、該少なくとも１つの音楽ビデオに関する情報項目を有し、該情報項目が：
歌の題名、歌を有するアルバムの名前、歌を演じるアーティストの名前、歌を演じるグループの名前、歌をリリースしたレコーディング・スタジオの名前、及び歌のリリースの日付；
のうちの１つを有することを特徴とする装置。
【請求項３】
請求項２記載の装置であって、該音楽ビデオ要約コントローラは、該少なくとも１つの音楽ビデオについて音楽ビデオ要約ファイルを生成することができるものであり；
該音楽ビデオ要約ファイルが：
該少なくとも１つの音楽ビデオについての、該音楽ビデオ要約ブロックが有する情報；
該少なくとも１つの音楽ビデオのオーディオ・セグメント；及び
該少なくとも１つの音楽ビデオのビデオ・セグメント；
を有することを特徴とする装置。
【請求項４】
請求項１記載の装置であって、該音楽ビデオ要約コントローラは、該少なくとも１つの音楽ビデオを、該少なくとも１つの音楽ビデオの第１ビデオ・テキスト・ブロックを識別すること、及び、該少なくとも１つの音楽ビデオの第２ビデオ・テキストを識別すること、によって、識別することができることを特徴とする装置。
【請求項５】
請求項１記載の装置であって、該音楽ビデオ要約コントローラは、該少なくとも１つの音楽ビデオを、サーチ対象の歌の少なくとも一語を有するサーチ列を生成すること、及び、該サーチ列を、サーチ対象の該歌の歌詞のトランスクリプトと、照合すること、によって、識別することができることを特徴とする装置。
【請求項６】
請求項２記載の装置であって、該音楽ビデオ要約コントローラは、該少なくとも1つの音楽ビデオについて該音楽ビデオ要約ファイルを、該少なくとも1つの音楽ビデオにおける歌のコーラス部分を識別すること、及び、該コーラス部分を、該少なくとも１つの音楽ビデオにおける該歌の、相当するオーディオ・セグメント並びに相当するビデオ・セグメントと、照合すること、によって、生成することができるものであり；
該音楽ビデオ要約コントローラは、該相当するオーディオ・セグメント並びに該相当するビデオ・セグメントを該音楽ビデオ要約ファイルに入れることを特徴とする装置。
【請求項７】
請求項３記載の装置であって、該音楽ビデオ要約コントローラは、複数の音楽ビデオ要約ブロックを有する音楽ビデオ要約ファイルを生成することができるものであり；
各音楽ビデオ要約ブロックは少なくとも１つのユーザ仕様を充足する音楽ビデオに関する情報を有することを特徴とする装置。
【請求項８】
ビデオ再生デバイスであって：
複数の音楽ビデオを有するマルチメディア・データ・ストリームを受信することができる音楽ビデオ要約コントローラ；
を有し；
該音楽ビデオ要約コントローラは、該マルチメディア・データ・ストリームからの該複数の音楽ビデオのうちの少なくとも１つの音楽ビデオをセグメント化することができるものであり；
該音楽ビデオ要約コントローラは、該複数の音楽ビデオの該少なくとも１つの音楽ビデオを識別することができることを特徴とするビデオ再生デバイス。
【請求項９】
請求項８記載のビデオ再生デバイスであって、該音楽ビデオ要約コントローラは、該複数の音楽ビデオのうちの該少なくとも１つの音楽ビデオについて音楽ビデオ要約ブロックを生成することができるものであり；
該音楽ビデオ要約ブロックが、該少なくとも１つの音楽ビデオに関する情報項目を有し、該情報項目が：
歌の題名、歌を有するアルバムの名前、歌を演じるアーティストの名前、歌を演じるグループの名前、歌をリリースしたレコーディング・スタジオの名前、及び歌のリリースの日付；
のうちの１つを有することを特徴とするビデオ再生デバイス。
【請求項１０】
請求項９記載のビデオ再生デバイスであって、該音楽ビデオ要約コントローラは、該少なくとも１つの音楽ビデオについて音楽ビデオ要約ファイルを生成することができるものであり；
該音楽ビデオ要約ファイルが：
該少なくとも１つの音楽ビデオについての、該音楽ビデオ要約ブロックが有する情報；
該少なくとも１つの音楽ビデオのオーディオ・セグメント；及び
該少なくとも１つの音楽ビデオのビデオ・セグメント；
を有することを特徴とするビデオ再生デバイス。
【請求項１１】
請求項８記載のビデオ再生デバイスであって、該音楽ビデオ要約コントローラは、該少なくとも１つの音楽ビデオを、該少なくとも１つの音楽ビデオの第１ビデオ・テキスト・ブロックを識別すること、及び、該少なくとも１つの音楽ビデオの第２ビデオ・テキストを識別すること、によって、識別することができることを特徴とするビデオ再生デバイス。
【請求項１２】
請求項８記載のビデオ再生デバイスであって、該音楽ビデオ要約コントローラは、該少なくとも１つの音楽ビデオを、サーチ対象の歌の少なくとも一語を有するサーチ列を生成すること、及び、該サーチ列を、サーチ対象の該歌の歌詞のトランスクリプトと、照合すること、によって、識別することができることを特徴とするビデオ再生デバイス。
【請求項１３】
請求項９記載のビデオ再生デバイスであって、該音楽ビデオ要約コントローラは、該少なくとも1つの音楽ビデオについて該音楽ビデオ要約ファイルを、該少なくとも1つの音楽ビデオにおける歌のコーラス部分を識別すること、及び、該コーラス部分を、該少なくとも１つの音楽ビデオにおける該歌の、相当するオーディオ・セグメント並びに相当するビデオ・セグメントと、照合すること、によって、生成することができるものであり；
該音楽ビデオ要約コントローラは、該相当するオーディオ・セグメント並びに該相当するビデオ・セグメントを該音楽ビデオ要約ファイルに入れることを特徴とするビデオ再生デバイス。
【請求項１４】
請求項１０記載のビデオ再生デバイスであって、該音楽ビデオ要約コントローラは、複数の音楽ビデオ要約ブロックを有する音楽ビデオ要約ファイルを生成することができるものであり；
各音楽ビデオ要約ブロックは少なくとも１つのユーザ仕様を充足する音楽ビデオに関する情報を有することを特徴とするビデオ再生デバイス。
【請求項１５】
ビデオ再生デバイスにおいて受信される、マルチメディア・データ・ストリームにおける音楽ビデオ、を索引化する方法であって；
マルチメディア・データ・ストリームにおける複数の音楽ビデオを音楽ビデオ要約コントローラにおいて受信する工程；
該マルチメディア・データ・ストリームからの該複数の音楽ビデオのうちの少なくとも１つの音楽ビデオをセグメント化する工程；及び
該複数の音楽ビデオの該少なくとも１つの音楽ビデオを識別する工程；
を有することを特徴とする方法。
【請求項１６】
請求項１５記載の方法であって、更に：
該複数の音楽ビデオのうちの該少なくとも１つの音楽ビデオについて音楽ビデオ要約ブロックを生成する工程；
を有し；
該音楽ビデオ要約ブロックが、該少なくとも１つの音楽ビデオに関する情報項目を有し、該情報項目が：
歌の題名、歌を有するアルバムの名前、歌を演じるアーティストの名前、歌を演じるグループの名前、歌をリリースしたレコーディング・スタジオの名前、及び歌のリリースの日付；
のうちの１つを有することを特徴とする方法。
【請求項１７】
請求項１６記載の方法であって、更に：
該少なくとも１つの音楽ビデオについて音楽ビデオ要約ファイルを生成する工程；
を有し；
該音楽ビデオ要約ファイルが：
該少なくとも１つの音楽ビデオについての、該音楽ビデオ要約ブロックが有する情報；
該少なくとも１つの音楽ビデオのオーディオ・セグメント；及び
該少なくとも１つの音楽ビデオのビデオ・セグメント；
を有することを特徴とする方法。
【請求項１８】
請求項１５記載の方法であって、更に：
該少なくとも１つの音楽ビデオを、該少なくとも１つの音楽ビデオの第１ビデオ・テキスト・ブロックを識別すること、及び、該少なくとも１つの音楽ビデオの第２ビデオ・テキストを識別すること、によって、識別する工程；
を有することを特徴とする方法。
【請求項１９】
請求項１５記載の方法であって、更に：
該少なくとも１つの音楽ビデオを、サーチ対象の歌の少なくとも一語を有するサーチ列を生成すること、及び、該サーチ列を、サーチ対象の該歌の歌詞のトランスクリプトと、照合すること、によって、識別する工程；
を有することを特徴とする方法。
【請求項２０】
請求項１６記載の方法であって、更に：
該少なくとも1つの音楽ビデオについて該音楽ビデオ要約ファイルを、該少なくとも1つの音楽ビデオにおける歌のコーラス部分を識別することによって、生成する工程；
該コーラス部分を、該少なくとも１つの音楽ビデオにおける該歌の、相当するオーディオ・セグメント並びに相当するビデオ・セグメントと、照合する工程；及び
該相当するオーディオ・セグメント並びに該相当するビデオ・セグメントを該音楽ビデオ要約ファイルに入れる工程；
を有することを特徴とする方法。
【請求項２１】
請求項１７記載の方法であって、更に：
複数の音楽ビデオ要約ブロックを有する音楽ビデオ要約ファイルを生成する工程；
を有し；
各音楽ビデオ要約ブロックは少なくとも１つのユーザ仕様を充足する音楽ビデオに関する情報を有することを特徴とする方法。
【請求項２２】
ビデオ再生デバイスにおいて受信される、マルチメディア・データ・ストリームにおける音楽ビデオ、を索引化する、コンピュータ判読可能記憶媒体上に記憶された、コンピュータ実行可能命令であって；
マルチメディア・データ・ストリームにおける複数の音楽ビデオを音楽ビデオ要約コントローラにおいて受信する工程；
該マルチメディア・データ・ストリームからの該複数の音楽ビデオのうちの少なくとも１つの音楽ビデオをセグメント化する工程；及び
該複数の音楽ビデオの該少なくとも１つの音楽ビデオを識別する工程；
を有することを特徴とする、コンピュータ判読可能記憶媒体上に記憶されたコンピュータ実行可能命令。
【請求項２３】
請求項２２記載の、コンピュータ判読可能記憶媒体上に記憶されたコンピュータ実行可能命令であって、更に：
該複数の音楽ビデオのうちの該少なくとも１つの音楽ビデオについて音楽ビデオ要約ブロックを生成する工程；
を有し；
該音楽ビデオ要約ブロックが、該少なくとも１つの音楽ビデオに関する情報項目を有し、該情報項目が：
歌の題名、歌を有するアルバムの名前、歌を演じるアーティストの名前、歌を演じるグループの名前、歌をリリースしたレコーディング・スタジオの名前、及び歌のリリースの日付；
のうちの１つを有することを特徴とする、コンピュータ判読可能記憶媒体上に記憶されたコンピュータ実行可能命令。
【請求項２４】
請求項２２記載の、コンピュータ判読可能記憶媒体上に記憶されたコンピュータ実行可能命令であって、更に：
該少なくとも１つの音楽ビデオについて音楽ビデオ要約ファイルを生成する工程；
を有し；
該音楽ビデオ要約ファイルが：
該少なくとも１つの音楽ビデオについての、該音楽ビデオ要約ブロックが有する情報；
該少なくとも１つの音楽ビデオのオーディオ・セグメント；及び
該少なくとも１つの音楽ビデオのビデオ・セグメント；
を有することを特徴とする、コンピュータ判読可能記憶媒体上に記憶されたコンピュータ実行可能命令。
【請求項２５】
請求項２２記載の、コンピュータ判読可能記憶媒体上に記憶されたコンピュータ実行可能命令であって、更に：
該少なくとも１つの音楽ビデオを、該少なくとも１つの音楽ビデオの第１ビデオ・テキスト・ブロックを識別すること、及び、該少なくとも１つの音楽ビデオの第２ビデオ・テキストを識別すること、によって、識別する工程；
を有することを特徴とする、コンピュータ判読可能記憶媒体上に記憶されたコンピュータ実行可能命令。
【請求項２６】
請求項２２記載の、コンピュータ判読可能記憶媒体上に記憶されたコンピュータ実行可能命令であって、更に：
該少なくとも１つの音楽ビデオを、サーチ対象の歌の少なくとも一語を有するサーチ列を生成すること、及び、該サーチ列を、サーチ対象の該歌の歌詞のトランスクリプトと、照合すること、によって、識別する工程；
を有することを特徴とする、コンピュータ判読可能記憶媒体上に記憶されたコンピュータ実行可能命令。
【請求項２７】
請求項２３記載の、コンピュータ判読可能記憶媒体上に記憶されたコンピュータ実行可能命令であって、更に：
該少なくとも1つの音楽ビデオについて該音楽ビデオ要約ファイルを、該少なくとも1つの音楽ビデオにおける歌のコーラス部分を識別することによって、生成する工程；
該コーラス部分を、該少なくとも１つの音楽ビデオにおける該歌の、相当するオーディオ・セグメント並びに相当するビデオ・セグメントと、照合する工程；及び
該相当するオーディオ・セグメント並びに該相当するビデオ・セグメントを該音楽ビデオ要約ファイルに入れる工程；
を有することを特徴とする、コンピュータ判読可能記憶媒体上に記憶されたコンピュータ実行可能命令。
【請求項２８】
請求項２４記載の、コンピュータ判読可能記憶媒体上に記憶されたコンピュータ実行可能命令であって、更に：
複数の音楽ビデオ要約ブロックを有する音楽ビデオ要約ファイルを生成する工程；
を有し；
各音楽ビデオ要約ブロックは少なくとも１つのユーザ仕様を充足する音楽ビデオに関する情報を有することを特徴とする、コンピュータ判読可能記憶媒体上に記憶されたコンピュータ実行可能命令。
【発明の詳細な説明】
【技術分野】
【０００１】
本発明は、一般的に、通信システムに関し、特に、音楽ビデオを索引化し、要約する、ビデオ表示システムにおける、システム及び方法に関する。
【背景技術】
【０００２】
広範囲にわたる種類のビデオ再生デバイスが市場で入手可能である。大部分の人達はビデオ・カセット・レコーダ（VCR）を所有しているか、よく知っている。ビデオ・テープ・レコーダ（VTR）は別の種類のビデオ再生デバイスである。最近では、ビデオ番組を記憶するのに磁気カセット・テープではなくコンピュータ磁気ハード・ディスクを用いるビデオ・レコーダが市場に出回っている。例えば、リプレイTV  J(ReplayTVJ)レコーダ及びティーボJ(TiVOJ)レコーダはテレビジョン番組をハード・ディスク・ドライブ上に、例えば、MPEG-2圧縮、を用いてディジタル形式で記録する。更に、一部のビデオ再生デバイスは磁気ディスク上ではなく読み書き可能なディジタル多用途ディスク（DVD）上に記録し得る。
【０００３】
多くの人達は音楽ビデオをビデオ再生デバイス上で記録する。音楽ビデオを映す数時間ものビデオ番組をテレビジョン・チャンネルから記録することが可能である。そのようなテレビジョン・チャンネルの周知の例はMTVである。いくつかの音楽ビデオ・チャンネルは、しかしながら、多くの時間を、広告や、種々の関連のない話題に関するトークに割いている。これによって音楽ビデオを放映するのに充てる時間が削減される。
【０００４】
視聴者が番組全体を記録する場合、その記録は広告やトークなどの音楽以外のビデオ部分全てを有することになる。音楽ビデオを視聴する場合、視聴者は、音楽以外のビデオ部分をバイパスしてその記録を早送りし、記録を停止し、音楽ビデオを再生し、更に記録をもう一度、次の音楽ビデオまで早送りし、次の音楽ビデオを再生するなどのことを行うことを要する。この作業は骨が折れるものであり、時間もかかる。更に、大量の、ビデオ再生デバイスの、記録容量が広告やトークのような不必要なマテリアルを記録するのに費やされる。
【発明の開示】
【発明が解決しようとする課題】
【０００５】
したがって、音楽ビデオを索引化し、要約することができるシステム及び方法に対する必要性が当該技術分野において存在する。更に、マルチメディア・データ・ストリームにおいて音楽ビデオを識別し、適切な音楽ビデオ情報を有する音楽ビデオ各々の要約を作成するシステム及び方法に対する必要性が当該技術分野において存在する。
【課題を解決するための手段】
【０００６】
先行技術の上記欠点に対処するよう、本発明の最も重要な目的として、ビデオ再生デバイスにおいて用いる、音楽ビデオを索引化し、要約する、システム及び方法を備える。
【０００７】
本発明は、ビデオ再生デバイスにおいて音楽ビデオ要約コントローラ及び音楽ビデオ要約コンピュータ・ソフトウェアを有する。音楽ビデオ要約コントローラは複数の音楽ビデオを有するマルチメディア・データ・ストリームを受信する。音楽ビデオ要約コントローラは：(1)音楽ビデオをセグメント化し、識別し；(2)音楽ビデオ毎に音楽ビデオ要約ファイルを生成する。音楽ビデオ要約ファイルは歌の題名及びアーティストの名前などの情報を有する。音楽ビデオ要約ファイルは更に、歌を識別する、オーディオ・セグメント及びビデオ・セグメントを有する。音楽ビデオ要約コントローラは音楽ビデオ要約ファイルの一覧を編集し、表示する。音楽ビデオ要約ファイルがマルチメディア・データ・ストリームにおいて検出された音楽ビデオ毎に生成される。ユーザは音楽ビデオ要約ファイルの一覧をアクセスし、ビデオ再生デバイス上で再生する音楽ビデオを、その相当する音楽ビデオ要約ファイルを選定することによって、選定する。
【０００８】
本発明の効果的実施例によれば、音楽ビデオ要約コントローラは複数の音楽ビデオの音楽ビデオ各々をセグメント化し、識別する。
【０００９】
本発明の別の効果的実施例によれば、音楽ビデオ要約コントローラは音楽ビデオ毎に音楽ビデオ要約ブロックを生成する。音楽ビデオ要約ブロックは、歌の題名、その歌を有するアルバムの名前、その歌をレコーディングしたアーティスト又はグループの名前、レコーディング・スタジオ、及び歌のリリース日付などの情報を有する。
【００１０】
本発明の効果的実施例によれば、音楽ビデオ要約コントローラは音楽ビデオ毎に音楽ビデオ要約ファイルを生成する。音楽ビデオ要約ファイルは音楽ビデオ要約ブロック中に記憶された情報、その歌のオーディオ部分、及びその音楽ビデオのビデオ・セグメントを有する。
【００１１】
本発明の効果的実施例によれば、音楽ビデオ要約コントローラは音楽ビデオを、音楽ビデオの開始点と終了点にあるビデオ・テキスト・ブロックを位置指定することによって、識別することができる。
【００１２】
本発明の別の効果的実施例によれば、音楽ビデオ要約コントローラは音楽ビデオを、サーチする対象の歌の歌詞における1つ又は複数の語を有するサーチ列を生成し、そのサーチ列を歌の歌詞のトランスクリプトと照合することによって、識別することができる。
【００１３】
上記では、本発明の特徴及び技術上の効果を、当業者が以下の、本発明の詳細説明、をよく分かり得るよう、ある程度広く概括している。本発明の本特許請求の範囲の対象を構成する、本発明の別の特徴及び効果、は以下に、説明する。当業者は自らが、開示された着想及び特定の実施例を、本発明のまさにその目的を遂行する別の構造を修正するか企図する基礎として容易に用い得るものであることが分かる。当業者は更に、そのような同等な構成が本発明の、その最も広い形態における、趣旨及び範囲から逸脱するものでないことを認識するものである。
【００１４】
詳細説明を始める前に、本明細書及び特許請求の範囲の原文を通して使用される特定の語及び句の定義を示すことが効果的であり得る、すなわち、「include」と「comprise」の語、並びにそれらの派生形、は限定なしの包含を表す；「or」の語は、「及び/又は」を表す、包含的なものである；「associated  with」と「associated  therewith」の句、更にはそれらの派生形は；有する(include、contain、have)、その中に有する(be  included  within、be  contained  within)、相互接続する、接続する、結合する、通信可能である、協調する、インタリーブする、並置する、近い、密接な関係にある、性質がある、など；を表し得るものであり；「controller」の語は、何れかのデバイス、システム、又はそれらの部分で、少なくとも1つの動作を制御するもの、を表すものであり、そのようなデバイスはハードウェア、ファームウェア若しくはソフトウェア、又はまさにそれらのうちの少なくとも２つのある組み合わせ、にて実現し得る。なお、いずれかの特定のコントローラに関連した機能は、局所であるか遠隔であるかにかかわらず、集中化し得るか、分散化し得る。特に、コントローラは、1つ若しくは複数のデータ・プロセッサ、及び関連した入出力デバイス並びにメモリで、1つ若しくは複数のアプリケーション・プログラム及び/又はオペレーティング・システム・プログラムを実行するもの、を有し得る。特定の語及び句の定義は本明細書及び特許請求の範囲を通して備えており、当業者は、大部分の場合でなくても、多くの場合、そのような定義が、そのように定義された語及び句の、先行する使用、更には、将来における使用、に適用することが分かる。
【発明を実施するための最良の形態】
【００１５】
本発明及びその効果が徹底的に分かるよう、次に、以下の記載、更には、添付図面、を参照することとし、図面では同じ番号は同じ対象を表すものとする。
【００１６】
本明細書及び特許請求の範囲において本発明の原理を説明するのに用いる、下記の、図１乃至図８、及び種々の実施例は、単に、説明用のものであり、如何なる方法においても本発明の範囲を限定するものでないこととする。以下の例示的実施例の記載においては、本発明はテレビジョン受信器に一体化されるか、該受信器と関連付けて用いられる。しかしながら、本実施例は単に、例示目的のものであり、本発明の範囲をテレビジョン受信器に限定するよう解釈されるものでないこととする。実際に、当業者は本発明の例示的実施例が何れかの種類のビデオ表示システムにおいて用いるように容易に修正し得ることが分かるものである。
【実施例】
【００１７】
図１は本発明の効果的実施例による例示的ビデオ再生デバイス１５０及びテレビジョン受信機１０５を示す。ビデオ再生デバイス１５０は、ケーブル・テレビジョン・サービス・プロバイダ（ケーブル会社）、局所アンテナ、インターネット・サービス・プロバイダ（ＩＳＰ）、又は、ＤＶＤプレイヤ若しくはＶＨＳテープのプレイヤなどの外部ソース、からの着信テレビジョン信号を受信する。ビデオ再生デバイス１５０は視聴者選定チャンネルからのテレビジョン信号をテレビジョン受信機１０５に送信する。チャンネルは、ユーザによって手作業で選定し得るか、ユーザによって先行してプログラム化される記録デバイスによって自動的に選定し得る。代替的には、チャンネル及びビデオ番組はユーザの個人視聴履歴における番組プロフィールからの情報に基づいて記録デバイスによって自動的に選定し得る。
【００１８】
記録モードでは、ビデオ再生デバイス１５０は着信無線周波数（ＲＦ）テレビジョン信号を復調してベースバンド・ビデオ信号を生成し得るものであり、この信号はビデオ再生デバイス150中か、該デバイスに接続された、記憶媒体上で記録され、記憶される。再生モードでは、ビデオ再生デバイス１５０はユーザによって選定された記憶ベースバンド・ビデオ信号（すなわち、番組）を記憶媒体から読み取って、それをテレビジョン受信機１０５に送信する。ビデオ再生デバイス１５０は、ディジタル信号を受信し、記録し、該信号と相互作用し、該信号を再生することができる、種類のビデオ・レコーダ、を有し得る。
【００１９】
ビデオ再生デバイス１５０は、ビデオ・レコーダで、記録テープを利用する種類のものか、ハード・ディスクを利用する種類のものか、ソリッド・ステート・メモリを利用する種類のものか、さもなければ何れかの別の種類の記憶装置を利用するもの、である。ビデオ再生デバイス１５０がビデオ・カセット・レコーダ（ＶＣＲ）である場合、ビデオ再生デバイス１５０は着信テレビジョン信号を、磁気カセット・テープに記憶し、該テープから取り出す。ビデオ再生デバイス１５０が、リプレイＴＶＪ(ReplayTVJ)レコーダ又はティーボJ（TiVOJ）レコーダなどの、ディスク・ドライブ・ベースのデバイスである場合、ビデオ再生デバイス１５０は磁気カセット・テープではなく、コンピュータ磁気ハード・ディスクとの間で着信テレビジョン信号の記憶及び取り出しを行う。更に別の実施例では、ビデオ再生デバイス１５０は、局所読み書き可能（R/W）ディジタル多用途ディスク（DVD）又は読み書き可能（R/W）コンパクト・ディスク（CD-RW）の記憶及び取り出しを行い得る。局所記憶媒体は固定のもの（例えば、ハード・ディスク・ドライブ）であっても、取り外し可能なもの（例えば、DVD、CD-ROM）であってもよい。
【００２０】
ビデオ再生デバイス１５０は、ユーザによって操作される遠隔制御デバイス１２５からの（チャンネル・アップ、チャンネル・ダウン、音量アップ、音量ダウン、記録、再生、早送り（FF）、巻き戻し、などの）コマンドを受け取る赤外線（IR）センサ１６０を有する。テレビジョン受信機１０５は、画面１１０、赤外線（IR）センサ１１５、及び（点線によって示す）1つ又は複数の手動制御部１２０を有する、通常のテレビジョン受信機である。IRセンサ１１５は更に、ユーザによって操作される遠隔制御デバイス１２５からの（音量アップ、音量ダウン、電源オン、電源オフ、などの）コマンドを受け取る。
【００２１】
なお、ビデオ再生デバイス１５０は特定の種類のソースからの特定の種類の着信テレビジョン信号を受信することに限定されるものでないこととする。上記のように、外部ソースは、ケーブル・サービス・プロバイダ、通常のRF放送アンテナ、衛星放送受信アンテナ、インターネット接続、又は、DVDプレイヤ若しくはVHSテープ・プレイヤのような、別の局所記憶デバイスであり得る。一部の実施例では、ビデオ再生デバイス１５０は記録することもできないものであり得るが、取り外し可能なDVD又はCD-ROMから取り出されたテレビジョン信号を再生することに限定され得るものである。このように、着信信号はディジタル信号、アナログ信号、又はインターネット・プロトコル（IP）パケットであり得る。
【００２２】
しかしながら、本発明の原理を説明するうえで単純化し、分かりやすくする目的で、以下の記載は一般的に、ビデオ再生デバイス１５０が（アナログ及び/又はディジタルの）着信テレビジョン信号をケーブル・サービス・プロバイダから受信する実施例に関するものとする。それにもかかわらず、当業者は本発明の原理を、無線放送テレビジョン信号、局所記憶システム、MPEGデータを有する着信IPパケット・ストリームなど、に用いるのに容易に形成し得ることが分かるものである。
【００２３】
図２は本発明の効果的実施例による例示的ビデオ再生デバイス１５０を詳細に示すものである。ビデオ再生デバイス１５０はIRセンサ１６０、ビデオ・プロセッサ２１０、MPEG２符号器２２０、ハード・ディスク・ドライブ２３０、MPEG２復号器/NTSC符号器２４０、及びビデオ・レコーダ（VR）コントローラ２５０を有する。ビデオ再生デバイス１５０は更に、フレーム・グラバ265を有するビデオ・ユニット２６０、字幕検出器275を有する音楽ビデオ要約コントローラ２７０、及びメモリ２８０を有する。フレーム・グラバ２６５はMPEG2復号器/NTSC符号器２４０の出力からのビデオ・フレームをキャップチャし、記憶する。字幕検出器２６５はMPEG2復号器/NTSC符号器２４０のNTSC出力信号において字幕テキストを検出する。
【００２４】
字幕検出器２７５は図２では音楽ビデオ要約コントローラ２７０中にあるものとして表しているが、字幕検出器２７５は音楽ビデオ要約コントローラ２７０の内部になくてもよいものである。字幕検出器２７５は音楽ビデオ要約コントローラ270の外部にあってもよいものである。
【００２５】
VRコントローラ２５０は、ビュー・モード、記録モード、再生モード、早送り（FF）モード、巻き戻しモード、及び別の同様な機能を有する、ビデオ再生デバイス１５０の動作全般を管理する。音楽ビデオ要約コントローラ２７０は本発明の原理による、音楽ビデオ要約の生成、記憶、及び再生を指示する。
【００２６】
ビュー・モードでは、VRコントローラ２５０は、ケーブル・サービス・プロバイダからの着信テレビジョン信号を、ハード・ディスク・ドライブ２３０上でビデオ信号を記憶するか否か（又はハード・ディスク・ドライブ２３０からビデオ信号を取り出すか否か）にかかわらず、ビデオ・プロセッサ２１０によって復調させて処理させ、テレビジョン受信機１０５に送信させる。ビデオ・プロセッサ２１０は、ケーブル・サービス・プロバイダからの着信テレビジョン信号を受信し、ユーザ選定チャンネルに同調させ、選定RF信号をテレビジョン受信機１０５上で表示させるのに適したベースバンド・テレビジョン信号（例えば、スーパー・ビデオ信号）に変換する、無線周波数（RF）フロントエンド回路を有する。ビデオ・プロセッサ210は更に、再生モード中に（ビデオ・ユニット２６０のビデオ・バッファ２６５にバッファリングした後に）MPEG2復号器/NTSC符号器２４０から通常のNTSC信号を受信し、ベースバンド・テレビジョン信号をテレビジョン受信機105に送信することができる。
【００２７】
記録モードでは、VRコントローラ２５０は着信テレビジョン信号をハード・ディスク・ドライブ230上に記憶させる。VRコントローラ２５０の制御下で、MPEG２符号器２２０は着信アナログ・テレビジョン信号をケーブル・サービス・プロバイダから受信し、受信RF信号をMPEG２フォーマットに変換してハード・ディスク・ドライブ２３０に記憶させる。代替的には、ビデオ再生デバイス１５０が、MPEG２データを送信するソースに結合されている場合、着信MPEG２データはMPEG２符号器２２０をバイパスし、ハード・ディスク・ドライブ230上に直接記憶させ得る。
【００２８】
再生モードでは、VRコントローラ２５０はハード・ディスク・ドライブ２３０に記憶テレビジョン信号（すなわち、番組）をMPEG2復号器/MTSC符号器２４０をストリーミングするよう指示し、該MPEG2復号器/MTSC符号器はハード・ディスク・ドライブ２３０からのＭＰＥＧ２データを、例えば、ビデオ・プロセッサ２１０がテレビジョン受信機１０５に送信するスーパー・ビデオ（S-Video）信号に変換する。
【００２９】
なお、MPEG２符号器２２０とMPEG２復号器/NTSC符号器２４０のMPEG2標準を選択したのは、単に説明目的のものである。本発明の別の実施例では、MPEG符号器及び復号器はMPEG-1、MPEG-2、及びMPEG-4標準、又は1つ若しくは複数の別の種類の標準に準拠し得る。
【００３０】
本出願の本明細書及び特許請求の範囲としての目的から、ハード・ディスク・ドライブ２３０は、読み書き両方が可能な何れかの大容量記憶デバイスを有するよう定義され、該デバイスは、読み書き可能ディジタル多用途ディスク（DVD-RW）用の通常の、磁気ディスク・ドライブ並びに光ディスク・ドライブ、書き換え可能CD-ROM、VCRテープなどを有するが、それらには限定されないものである。実際に、ハード・ディスク・ドライブ２３０はビデオ再生デバイス１５０に恒久的に組み込まれているような通常の意味で固定されていなくともよいものである。むしろ、ハード・ディスク・ドライブ２３０は、記録ビデオ番組を記憶する目的でビデオ再生装置150専用の何れかの大容量記憶デバイスを有する。したがって、ハード・ディスク・ドライブ２３０は、いくつかの読み書き可能ＤＶＤ又は書き換え可能ＣＤ−ＲＯＭを収容するジューク・ボックス・デバイス（図示せず）などの、付属周辺ドライブ又は取り外し可能な（内蔵型又は付属型の）ディスク・ドライブを有し得る。図２に概略を示すように、この種の取り外し可能ディスク・ドライブは書き換え可能ＣＤ−ＲＯＭディスク２３５を受け入れ、読み取ることができる。
【００３１】
更に、本発明の効果的実施例では、ハード・ディスク・ドライブ２３０は、ビデオ再生デバイス１５０がネットワーク接続（例えば、インターネット・プロトコル（ＩＰ）接続）を介してアクセスし、制御することが可能な、大容量の外部記憶デバイスを有し得るものであり、該デバイスは、ユーザの家庭用パーソナル・コンピュータ（ＰＣ）上のディスク・ドライブ又はユーザのインターネット・サービス・プロバイダ（ＩＳＰ）にあるサーバ上のディスク・ドライブを有する。
【００３２】
ＶＲコントローラ２５０はビデオ・プロセッサ２１０からビデオ・プロセッサ２１０によって受信されたビデオ信号に関する情報を取得する。ＶＲコントローラ２５０が、ビデオ再生デバイス１５０がビデオ番組を受信するものと判定する場合、ＶＲコントローラ２５０は、ビデオ番組が、記録対象のものとして選定されたものであるかを判定する。ビデオ番組が記録対象である場合、ＶＲコントローラ２５０はビデオ番組を上記の方法でハード・ディスク・ドライブ２３０上に記録させる。ビデオ番組が記録対象でない場合には、ＶＲコントローラ２３０は、上記の方法で、ビデオ番組を、ビデオ・プロセッサ２１０によって処理させ、テレビジョン受信機１０５に送信させる。
【００３３】
本発明の例示的実施例では、メモリ２８０は、ランダム・アクセス・メモリ（ＲＡＭ）又は、ランダム・アクセス・メモリ（ＲＡＭ）と読み取り専用メモリ（ＲＯＭ）との組み合わせ、を有し得る。メモリ２８０は、フラッシュ・メモリなどの、非揮発性ランダム・アクセス・メモリ（ＲＡＭ）を有し得る。テレビジョン受信機１０５の別の効果的実施例では、メモリ２８０は、ハード・ディスク・ドライブ（図示せず）などの、大容量記憶データ・デバイスを有し得る。メモリ２８０は更に、読み書き可能ＤＶＤ又は書き換え可能ＣＤ−ＲＯＭを読み取る、付属周辺ドライブ又は（内臓型若しくは付属型の）取り外し可能ディスク・ドライブを有し得る。図２に概略を示すように、この種の取り外し可能ディスク・ドライブは書き換え可能ＣＤ−ＲＯＭディスク２８５を受け入れ、読み取ることができる。
【００３４】
図３は本発明の音楽ビデオ要約コンピュータ・ソフトウェア３００を有するメモリ２８０の特定部分を示す。メモリ２８０はオペレーティング・システム・インタフェース・プログラム３１０、音楽ビデオ・セグメンテーション・アプリケーション３２０、音楽ビデオ識別アプリケーション３３０、音楽ビデオ要約アプリケーション３４０、音楽ビデオ要約ブロック３５０及び音楽ビデオ要約ファイル３６０を有する。音楽ビデオ要約コントローラ２７０及び音楽ビデオ要約コンピュータ・ソフトウェア３００は併せて、本発明を実施することができる音楽ビデオ要約制御システムを有する。オペレーティング・システム・インタフェース・プログラム３１０は音楽ビデオ要約コンピュータ・ソフトウェア３００の動作とＶＲコントローラ２５０及び音楽ビデオ要約コントローラ２７０のオペレーティング・システムとを連携させる。
【００３５】
図４は本発明の効果的実施例の一部として音楽ビデオ要約ブロック３５０の群を示す。本発明の音楽ビデオ要約コントローラ２７０は、それが音楽ビデオに関して取得する情報を音楽ビデオ要約ブロック（例えば、音楽ビデオ要約ブロック４１０）に記憶する。音楽ビデオ要約ブロック３５０の群はＮ個の音楽ビデオ要約ブロック（４１０、４７０、…、４８０）を有し、Ｎは整数である。図４に表す音楽ビデオ要約ブロック４１０は各音楽ビデオ要約ブロックが有し得る情報の種類を示す。
【００３６】
歌の題名はブロック420に記憶される。歌を有するアルバムの名前はブロック４３０に記憶される。歌を演じるアーティスト又はグループの名前はブロック４４０に記憶される。歌のレコーディングを行ったレコーディング・スタジオの名前はブロック４５０に記憶される。最後に、歌のリリースの日付はブロック４６０に記憶される。これらの分類は説明用のものであり、網羅的なものでない。すなわち、別の種類の情報（図示せず）は更に、本発明の音楽ビデオ要約ブロックに記憶し得る。
【００３７】
音楽ビデオ要約コントローラ２７０が音楽ビデオを有するマルチメディア・データ・ストリームを受信するものとする。以下に十分説明するように、音楽ビデオ要約コントローラ２７０は；(1)マルチメディア・データ・ストリームにおける音楽ビデオをセグメント化し、それらをマルチメディア・データ・ストリームの残りのものから分離し；(2)各セグメント化音楽ビデオを識別し、各音楽ビデオの対象である歌に関する情報を取得し；(3)テキスト、オーディオ及びビデオのセグメントを有する音楽ビデオ毎に音楽ビデオ要約ファイルを生成し；(4)音楽ビデオ要約ファイルを記憶し；(5)ユーザ要求に応じて、ユーザによって選定される順序で音楽ビデオ要約ファイルを表示する；ことができる。
【００３８】
本発明の一効果的実施例では、音楽ビデオ要約コントローラ２７０はマルチメディア・データ・ストリームにおける音楽ビデオを、各音楽ビデオの開始点及び終了点を見出すことによって、セグメント化する。音楽ビデオがテレビジョン１０５の画面１１０上に表示された場合、音楽ビデオの開始点は通常、ビデオ画像の下の部分に字幕１８０を表示する。字幕180は通常、歌の題名、アルバムの名前、アーティスト又はグループの名前、リリースの日付及び別の類似情報を有する。字幕１８０は更に、音楽ビデオの終了点に表示される。字幕１８０は更に、ビデオ・テキスト・ブロック１８０としても呼ばれる。
【００３９】
音楽ビデオ要約コントローラ２７０は音楽ビデオ・セグメンテーション・アプリケーション３２０におけるコンピュータ命令を実行して音楽ビデオの開始点と終了点にあるビデオ・テキスト・ブロック１８０をサーチする。２つのビデオ・テキスト・ブロック１８０が同一である場合には、それらの間のビデオの部分は、2つのビデオ・テキスト・ブロック１８０によって識別される音楽ビデオを表す。音楽ビデオ要約コントローラ２７０が、ビデオ・テキスト・ブロック１８０をサーチし、位置指定する方法は、図6を参照しながら以下に十分に説明する。
【００４０】
音楽ビデオ要約コントローラ２７０が2つの同一のビデオ・テキスト・ブロック１８０を見出す場合、音楽ビデオ要約コントローラ２７０はコンピュータ命令を音楽ビデオ識別アプリケーションにおいて実行してビデオ・テキスト・ブロック１８０から音楽ビデオを識別する情報を抽出する。音楽ビデオ要約コントローラ２７０は、「Video  Stream  Classifiable  Symbol  Isolation  Method  and  System」と題する、Lalitha  Agnihotri,Nevenka  Dimitrova,及びHerman  Elenbassによる西暦1999年11月17日付出願の、米国特許出願番号第09/441,943号開示の種類の方法を用いてビデオ・テキスト・ブロック１８０のテキストを取得し得る。
【００４１】
音楽ビデオ要約コントローラ２７０は、歌、アルバム、アーティスト、レコーディング会社などの、包括的な一覧を見出して、音楽ビデオ要約コントローラ２７０がビデオ・テキスト・ブロック１８０から取得する情報と比較するよう、メモリ２８０におけるデータベース（図示せず）をアクセスし得る（又はインターネット上にあるデータベースをアクセスし得る）。音楽ビデオ要約コントローラ２７０は、それが音楽ビデオに関して取得する情報を音楽ビデオ要約ブロック３５０の１つにおけるメモリ２８０に記憶する。別個の音楽ビデオ毎の音楽ビデオ情報は別個の音楽ビデオ要約ブロック（例えば、音楽ビデオ要約ブロック４１０）に記憶される。
【００４２】
場合によっては、音楽ビデオ要約コントローラ２７０は、ビデオ・テキスト・ブロック１８０を何ら位置指定することも識別することもできないことがある。そのような場合には、音楽ビデオ要約コントローラ２７０は歌の最初の数行のトランスクリプトを歌の歌詞のトランスクリプトのデータベースと比較してテキスト照合を見出す。音楽ビデオ要約コントローラ２７０は歌の最少の数行のテキストを表す「サーチ列」を選定する。本発明の一実施例では、「サーチ列」テキストは字幕検出器２７５から取得し得る。音楽ビデオ要約コントローラ270は更に、メモリ２８０における歌の歌詞のデータベース（図示せず）（又はwww.lyrics.comのようなインターネット上にある、歌の歌詞のデータベース）をアクセスして歌の歌詞の広範囲にわたる一覧を見出す。音楽ビデオ要約コントローラ270は更に、「サーチ列」テキストを、データベース中の歌の歌詞のトランスクリプトと比較して歌の正体を見出す。歌の正体が判定された後は、アーティストの名前及び別の情報を容易にデータベースからアクセスし得る。方法で、それによって音楽ビデオ要約コントローラ２７０が音楽ビデオ情報を、「サーチ列」テキストを歌の歌詞のデータベースと比較することによって、サーチして位置指定するもの、は図７を参照しながら以下に十分に説明する。
【００４３】
上記のように、音楽ビデオ要約コントロータ２７０は音楽ビデオ情報を得て、その音楽情報を音楽ビデオ要約ブロック３５０に記憶する。更に、音楽ビデオ要約ブロック（例えば、音楽ビデオ要約ブロック４１０）毎に音楽ビデオ要約コントローラ２７０が歌の歌詞をアクセスし、歌の歌詞から歌の「コーラス部分」を識別する。歌のコーラス部分は通常、歌の歌詞のデータベース中のコーラス部分として識別される。代替的には、歌の歌詞の一部分で、数回繰り返されるもの、も歌のコーラス部分としての役目を担うよう選定される。これは、字幕検出器２７５を用いることとオーディオ・トラックの部分を比較して同様なオーディオ・パターンを見出すこととの何れかによって実現し得る。
【００４４】
歌の特性は歌の「コーラス部分」によって、多くのリスナに、歌の最初の数行によるよりも、よく識別されるものである。音楽ビデオ要約コントローラ270は更に、歌の歌詞のトランスクリプト中のコーラス部分を、コーラス部分に相当する、マルチメディア・ファイルの、オーディオ並びにビデオの部分と照合する。音楽ビデオ要約コントローラ２７０は更に、音楽ビデオ要約ファイル360中のコーラス部分に相当する、マルチメディア・ファイルの、オーディオ並びにビデオの部分のコピーを音楽ビデオ要約ファイル３６０に入れる。
【００４５】
音楽ビデオ要約コントローラ２７０は音楽ビデオ毎の音楽ビデオ要約ファイル３６０各々をメモリ280に記憶する。ユーザ要求の受信に応じて、音楽ビデオ要約コントローラ２７０は、特定の音楽ビデオ要約ファイル３６０をアクセスし、（オーディオ並びにビデオの部分を有する）音楽ビデオ要約ファイル３６０をテレビジョン受信機１０５によって再生する。代替的には、音楽ビデオ要約コントローラ２７０は記憶音楽ビデオ要約ファイル360全ての一覧１９０をアクセスし、一覧１９０をテレビジョン受信機１０５の画面１１０上に表示することができる。すなわち、一覧１９０は：(1)マルチメディア・データ・ストリームにおいて検出された、全ての音楽ビデオの音楽ビデオ要約ファイル；及び(2)各音楽ビデオをレコーディングしたアーディスト又はグループの正体；を表示する。遠隔制御デバイス１２５及びＩＲセンサ１６０を用いて、ユーザは「音楽ビデオ要約再生」制御信号を音楽ビデオ要約コントローラ270に送出して次に再生する、一覧190中の音楽ビデオ要約ファイル、を選定する。このようにして、ユーザは、音楽ビデオ要約ファイルが再生される順序を選定する。
【００４６】
図５は本発明の効果的実施例の、音楽ビデオを索引化して要約する方法の動作を示す流れ図５００を表す。当該方法の第１工程では、音楽ビデオ要約コントローラ２７０は音楽ビデオを有するマルチメディア・データ・ストリームを受信する（工程５１０）。音楽ビデオ要約コントローラ２７０は音楽ビデオ・セグメンテーション・アプリケーション320を用いて音楽ビデオをセグメント化する（工程５２０）。音楽ビデオ要約コントローラ270は更に音楽ビデオ識別アプリケーション３３０を用いて音楽ビデオを識別する（工程５３０）。音楽ビデオ要約コントローラ270は更に、音楽ビデオ要約アプリケーション３４０を用いて、音楽ビデオ毎に音楽ビデオ要約ファイル３６０を生成する（工程５４０）。音楽ビデオ要約コントローラ270は更にメモリ２８０に各音楽ビデオ要約ファイル３６０を記憶する（工程５５０）。ユーザの音楽要約ファイル表示要求に応じて、音楽ビデオ要約コントローラ２７０は要求音楽ビデオ要約ファイルを表示する（工程５６０）。
【００４７】
図６は本発明の効果的実施例の、音楽ビデオを索引化して要約する方法の第１部分の動作を示す流れ図600を表す。当該方法の第１部分の第１工程では、音楽ビデオ要約コントローラ２７０は第１音楽ビデオ要約ブロックを空にする（工程６１０）。これは第１音楽ビデオ要約ブロックの各ブロック中にゼロ(「0」)値を書き込むことによって実現される。音楽ビデオ要約コントローラ２７０は更に、マルチメディア・データ・ストリームにおいて音楽ビデオ・テキスト・ブロック１８０をサーチする（工程６２０）。音楽ビデオ要約コントローラ２７０は、それがビデオ・テキスト・ブロック１８０を判定したか否かを判定する（判定工程６３０）。このサーチ処理が、マルチメディア・データ・ストリームの終了点まで続行してビデオ・テキスト・ブロックが検出されない場合には、当該処理は図７の工程７１０に移行する。
【００４８】
ビデオ・テキスト・ブロック１８０が検出された場合には、音楽ビデオ要約コントローラ２７０は、音楽ビデオ要約ブロックが空き状態にあるか否かを判定する（判定工程６４０）。音楽ビデオ要約ブロックが空き状態にある場合、これは（考えられるビデオ・テキスト・ブロック対の）第１ビデオ・テキスト・ブロック１８０であることを表す。したがって、音楽ビデオ要約コントローラ２７０は音楽ビデオ・セグメントの開始点に印を付け、音楽ビデオ・テキスト・ブロック情報を音楽ビデオ要約ブロックに記憶する（工程６６０）。当該処理は次に、工程620に戻り、音楽ビデオ要約コントローラ２７０は次のビデオ・テキスト・ブロック１８０をサーチする。
【００４９】
音楽ビデオ要約コントローラ２７０が次のビデオ・テキスト・ブロック１８０を見出す場合、判定工程640において、音楽ビデオ要約ブロックが空でないことが判定される。更に、音楽ビデオ要約コントローラ２７０は、それがたった今位置指定したビデオ・テキスト・ブロックが、音楽ビデオ要約ブロックに記憶されたビデオ・テキスト・ブロックと同じであるか否かを判定する（判定工程６５０）。ビデオ・テキスト・ブロックが先行して記憶されたビデオ・テキストと同じ場合、音楽ビデオ要約コントローラ２７０は、音楽ビデオの終了点を表す第２ビデオ・テキスト・ブロックを見出したことが分かる。したがって、音楽ビデオ要約コントローラ２７０は音楽ビデオ・セグメントの終了点に印を付け、次の空き状態の音楽ビデオ要約ブロックを得る（工程６７０）。当該処理は次に工程６２０に戻り、音楽ビデオ要約コントローラ２７０は別のビデオ・テキスト・ブロックをサーチすることを続ける（工程６２０）。
【００５０】
判定工程６５０におけるビデオ・テキスト・ブロックが先行して記憶されたビデオ・テキスト・ブロックと同じでない場合、一対が２つのビデオ・テキスト・ブロックを有するものでない。すなわち、各ビデオ・テキスト・ブロックは異なる音楽ビデオに関する。音楽ビデオ要約コントローラ２７０は更に、現行のビデオ・テキスト・ブロックを新たなテキスト・ブロックとして扱い、その情報を音楽ビデオ要約ブロックに記憶する（工程６６０）。当該処理は工程620に戻り、音楽ビデオ要約コントローラ２７０は引き続き、別のビデオ・テキスト・ブロックをサーチする（工程６２０）。マルチメディア・データ・ストリームにおいてこれ以上ビデオ・テキスト・ブロックが検出されない場合には、当該処理は図７の工程７１０に移行する。
【００５１】
図７は本発明の効果的実施例の、音楽ビデオを索引化し、要約する方法の第２部分の動作を示す流れ図７００を表す。当該方法の第２部分の第１工程では、音楽ビデオ要約コントローラ２７０は、いずれかの音楽ビデオが図６に表す方法を用いて見出されたか否かを判定する（判定工程７１０）。音楽ビデオが見出された場合には、図７のトランスクリプト比較方法を行うことを要するものでなく、当該処理は図８の工程810に移行する。
【００５２】
当該方法の第２部分の第2工程では、音楽ビデオ要約コントローラ２７０は、サーチする対象の歌の最初の数語を有するサーチ列を選定する（工程７２０）。サーチ列は、字幕検出器２７５を用いて、音楽の再生が開始された直後に発話される語のテキスト・バージョンを得ることによって、選定し得る。これを実現するよう、DonggeLi,IshwarK.Sethi,NevenkaDimitrova,及びTomMcGeeによる、「Classification  of  General  Audio  Data  for  Content-Based  Retrieval」と題するPattern  Recognition  Letters,  Volume  22,Number5,pp.533-544(April2001)  公開の記事記載のオーディオ分類子などの、オーディオ分類子を用い得る。該記事記載のオーディオ分類子はオーディオ・トラックを、音声、音楽、無音、雑音、音声と音楽、音声と音声、及び音声と雑音、として分類する。
【００５３】
音楽の再生開始直後に発話される語は歌の歌詞の最初の数語を表す可能性が高い。音楽ビデオ要約コントローラ２７０は更に、次に入手可能な歌の歌詞を得て比較するよう、歌の歌詞のデータベースをアクセスする（工程７３０）。上記のように、歌の歌詞のデータベースはメモリ２８０にあり得るか、インターネット上の遠隔場所にあり得る。
【００５４】
音楽ビデオ要約コントローラ２７０は更に、サーチ列の語が歌の歌詞のデータベースからの歌の歌詞に照合するか否かを判定する（判定工程７４０）。照合がない場合には、音楽ビデオ要約コントローラ２７０はデータベースの終了点に達したか否かを判定する（判定工程７５０）。データベースの終了点に達していない場合には、当該処理は工程730に戻り、データベース中の次の歌がアクセスされてサーチ列と比較される（工程７３０）。データベースの終了点に達した場合には、新たなサーチ列があるか否かが判定される（判定工程７７０）。
【００５５】
サーチ処理中に、サーチ列と、データベースからの歌の歌詞、との間で照合がある場合には、音楽ビデオ要約コントローラ２７０は音楽ビデオ要約ブロックに、識別された歌に関する情報を記憶する（工程７６０）。当該処理は次に、判定工程７７０に移行し、該判定工程では新たなサーチ列があるか否かが判定される（判定工程７７０）。
【００５６】
新たなサーチ列が何らない場合には、図７のトランスクリプト比較方法は終了する。当該処理は次に、図８の工程８１０に移行する。新たなサーチ列がある場合には、音楽ビデオ要約コントローラ２７０はサーチ対象の新たな歌を表す新たなサーチ列を選定する（工程７８０）。当該処理は次に、工程730に戻り、データベースにおける次の歌がアクセスされて新たなサーチ列と比較される（工程７３０）。
【００５７】
図８は本発明の効果的実施例の、音楽ビデオを索引化し、要約する、方法の第３部分の動作を示す流れ図８００を表す。当該方法の第３部分の第１工程では、音楽ビデオ要約コントローラ２７０は、何れかの音楽ビデオが図6及び図７に表した方法を用いて見出されたか否かを判定する（判定工程８１０）。音楽ビデオが何ら見出されない場合には、図８の音楽ビデオ要約方法を行うことを要するものでなく、当該方法は終了する。
【００５８】
音楽ビデオが見出され、音楽ビデオ要約ブロックに記憶された場合には、音楽ビデオ要約コントローラ２７０は、音楽ビデオ要約ブロックを選定することによって、音楽ビデオの要約を開始する（工程８２０）。音楽ビデオ要約コントローラ270は更に、音楽ビデオ要約ブロックにおいて識別された歌について歌の歌詞をアクセスする（工程８３０）。音楽ビデオ要約コントローラ270は更に、歌の歌詞を用いて歌のコーラス部分を識別する（工程８４０）。上記のように、歌の歌詞が、それがデータベースにない理由で、見出せない場合には、コーラス部分は、歌において繰り返される数行のものとして識別される。
【００５９】
音楽ビデオ要約コントローラ２７０は更に、歌のトランスクリプトにおける歌のコーラス部分を、マルチメディア・データ・ファイル中の相当する、オーディオ並びにビデオのセグメントと、照合する（工程８５０）。音楽ビデオ要約コントローラ２７０は更に、オーディオ並びにビデオのセグメントを音楽ビデオ要約ファイル360に入れ、音楽ビデオ要約ファイル３６０をメモリ２８０に記憶する（工程８６０）。
【００６０】
音楽ビデオ要約コントローラ２７０は更に、次の音楽ビデオ要約ブロックが空き状態にあるか否かを判定する（判定工程８７０）。次の音楽ビデオ要約ブロックが空き状態にある場合には、音楽ビデオの全てが要約され、当該方法は終了する。次の音楽ビデオ要約ブロックが空き状態にない場合には、当該処理は工程８２０に戻り、音楽ビデオ要約コントローラ２７０は引き続き、上記のように音楽ビデオを要約する。
【００６１】
ユーザは、制御信号を音楽ビデオ要約コントローラ２７０に送出して、音楽ビデオ要約コントローラ２７０に、少なくとも１つのユーザ選定仕様に適合する音楽ビデオのみを記録させ得る。例えば、ユーザは、特定のアーティスト（又は特定のグループ）が演ずる音楽ビデオのみを記録対象とする旨を規定し得る。代替的には、ユーザは、特定のレコーディング・スタジオによってリリースされた音楽ビデオのみを記録対象とする旨を規定し得る。これらのユーザ規定（仕様）は更に、組み合わせ得る。例えば、ユーザは、特定のレコーディング・スタジオ向けに特定のアーティストが演じる音楽ビデオのみを記録対象とする旨を規定し得る。このようにして、ユーザは1つ又は複数のユーザ仕様を備えて記録対象とする、音楽ビデオの特定の種類、を選定することができる。ユーザ仕様を満たさない音楽ビデオは何ら記録されないものである。
【００６２】
本発明は詳細に記載したが、当業者は、自らが本明細書及び特許請求の範囲において種々の変更、置換、及び改変を、本発明の、その最も広い形態における、趣旨及び範囲から逸脱することなく、行い得ることが分かるものである。
【図面の簡単な説明】
【００６３】
【図１】本発明の効果的実施例による例示的ビデオ表示システムを示す図である。
【図２】本発明の効果的実施例による、図１に表す例示的ビデオ表示システムにおいて音楽ビデオを索引化し、要約するシステムを示す図である。
【図３】本発明の効果的実施例に伴って用いる音楽ビデオ要約コンピュータ・ソフトウェアを示す図である。
【図４】本発明の効果的実施例に伴って用いる音楽ビデオ要約ブロックを示す図である。
【図５】音楽ビデオを索引化し、要約する、本発明の効果的実施例の方法、の動作を示す流れ図である。
【図６】音楽ビデオを索引化し、要約する、本発明の効果的実施例の方法、の第１部分の動作を示す流れ図である。
【図７】音楽ビデオを索引化し、要約する、本発明の効果的実施例の方法、の第２部分の動作を示す流れ図である。
【図８】音楽ビデオを索引化し、要約する、本発明の効果的実施例の方法、の第３部分の動作を示す流れ図である。
【図１】
2005530446.tif 000003
【図２】
2005530446.tif 000004
【図３】
2005530446.tif 000005
【図４】
2005530446.tif 000006
【図５】
2005530446.tif 000007
【図６】
2005530446.tif 000008
【図７】
2005530446.tif 000009
【図８】
2005530446.tif 000010
【国際調査報告】
2005530446.tif 000011
2005530446.tif 000012